(57)【特許請求の範囲】
【請求項１】
扇形の複数枚の法面羽根板を周方向に連結して頂部及び裾部を有する略円錐形状として構成され、軸回りの回転により畦法面を整畦する法面整畦体を備える畦塗り機であって、
前記法面羽根板の円弧部分が連なって構成される前記法面整畦体の前記裾部の周縁に沿って、略円形のリング部材を設け、
前記法面羽根板は、前記法面整畦体の回転方向の後方側に向けて張り出す張出部及び前記回転方向の前方側に向けて延びる下段部を有しており、
周方向に隣接する前記法面羽根板は、前記回転方向の後方側に位置する後方側法面羽根板の前記下段部と、前方側に位置する前方側法面羽根板の前記張出部とが、互いに上下間隔を置いて配置され、
前記リング部材は、外周の直径が前記裾部の外周の直径よりも大きく、
前記法面羽根板の前記円弧部分における前記張出部から前記下段部に亘り、前記畦法面と接触する側の接触面から延びる接触延長線に対して、前記法面羽根板の前記接触面とは反対側の位置に配置されていることを特徴とする畦塗り機。
【請求項２】
扇形の複数枚の法面羽根板を周方向に連結して頂部及び裾部を有する略円錐形状として構成され、軸回りの回転により畦法面を整畦する法面整畦体を備える畦塗り機であって、
前記法面羽根板の円弧部分が連なって構成される前記法面整畦体の前記裾部の周縁に沿って、略円形のリング部材を設け、
前記法面羽根板は、前記法面整畦体の回転方向の後方側に向けて張り出す張出部及び前記回転方向の前方側に向けて延びる下段部を有しており、
周方向に隣接する前記法面羽根板は、前記回転方向の後方側に位置する後方側法面羽根板の前記下段部と、前方側に位置する前方側法面羽根板の前記張出部とが、互いに上下間隔を置いて配置され、
前記リング部材は、外周の直径が前記裾部の外周の直径よりも大きく、
前記法面羽根板の前記円弧部分における前記張出部から前記下段部に亘り、前記畦法面と接触する側の接触面から延びる接触延長線に対して、前記法面羽根板の前記接触面とは反対側の位置に配置されている部分を有し、前記法面羽根板の前記接触面とは反対側の位置に配置されていない部分は前記畦法面と接触しないことを特徴とする畦塗り機。
【発明の詳細な説明】
【技術分野】
【０００１】
本発明は、畦法面を整畦する法面整畦体を搭載した畦塗り機に関する。
【背景技術】
【０００２】
従来、整畦体の前側に配設された前処理部において、耕耘爪が旧畦の側部等を切り崩すとともに切り崩した土を撥ね上げ、その後、前処理部の後側に配設された整畦体において、撥ね上げられた土を旧畦上に塗り付けて新畦を形成する畦塗り機が知られている。
【０００３】
整畦体は、畦の上面を整える上面整畦部と、畦の法面を整える法面整畦体とから成り、法面整畦体は、複数枚の法面羽根板を周方向に連結して構成されている。
【０００４】
ここで、法面整畦体は、整畦体の回転により、複数枚の法面羽根板によって畦の法面を整畦することが可能であるものの、その複数枚の法面羽根板と畦の法面との間に摩擦を生じ、特に、法面整畦体の重量の影響に伴う激しい摩耗を引き起こし、消耗品として度々交換する必要があった。
【０００５】
このため、法面整畦体の周縁に沿って、リング部材を周設し、そのリング部材が圃場の底面に着地した状態で進行することによって、法面整畦体の重量を支えることができる構成が知られている。
また、複数枚の法面羽根板が組み合わさって構成された法面整畦体自体の補強部材として、当該リング部材を法面整畦体の周縁に沿って周設することも一般的に行われている。
【０００６】
さらに、法面整畦体における土面に対する面（表面）から、リング部材をやや突出させた状態で、法面整畦体の周縁に周設させることで、整畦体による整畦の際に、畦の法面と圃場の底面との境の土面をより効果的に締め固める構成も知られている（特許文献１）。
【先行技術文献】
【特許文献】
【０００７】
【特許文献１】特開平９−１４０２１０号公報
【発明の概要】
【発明が解決しようとする課題】
【０００８】
しかしながら、法面整畦体の周縁に沿ってリング部材を周設させた構成において、当該リング部材が整畦体の表面から少しでも突出していると、その突出部分によって、整畦中の畦法面の表面を崩してしまうこととなり、整畦の効果が損なわれてしまうといった問題があった。
【０００９】
そこで本発明は、畦法面の整畦の効果を維持しつつ、法面羽根板の摩耗を低減させ、さらに、重量に対する強度を備えた法面整畦体を搭載する畦塗り機を提供することを目的とする。
【課題を解決するための手段】
【００１０】
請求項１に記載の発明は、扇形の複数枚の法面羽根板を周方向に連結して頂部及び裾部を有する略円錐形状として構成され、軸回りの回転により畦法面を整畦する法面整畦体を備える畦塗り機であって、前記法面羽根板の円弧部分が連なって構成される前記法面整畦体の前記裾部の周縁に沿って、略円形のリング部材を設け、前記法面羽根板は、前記法面整畦体の回転方向の後方側に向けて張り出す張出部及び前記回転方向の前方側に向けて延びる下段部を有しており、周方向に隣接する前記法面羽根板は、前記回転方向の後方側に位置する後方側法面羽根板の前記下段部と、前方側に位置する前方側法面羽根板の前記張出部とが、互いに上下間隔を置いて配置され、前記リング部材は、外周の直径が前記裾部の外周の直径よりも大きく、前記法面羽根板の前記円弧部分における前記張出部から前記下段部に亘り、前記畦法面と接触する側の接触面から延びる接触延長線に対して、前記法面羽根板の前記接触面とは反対側の位置に配置されていることを特徴とする。
【００１１】
請求項２に記載の発明は、扇形の複数枚の法面羽根板を周方向に連結して頂部及び裾部を有する略円錐形状として構成され、軸回りの回転により畦法面を整畦する法面整畦体を備える畦塗り機であって、前記法面羽根板の円弧部分が連なって構成される前記法面整畦体の前記裾部の周縁に沿って、略円形のリング部材を設け、前記法面羽根板は、前記法面整畦体の回転方向の後方側に向けて張り出す張出部及び前記回転方向の前方側に向けて延びる下段部を有しており、周方向に隣接する前記法面羽根板は、前記回転方向の後方側に位置する後方側法面羽根板の前記下段部と、前方側に位置する前方側法面羽根板の前記張出部とが、互いに上下間隔を置いて配置され、前記リング部材は、外周の直径が前記裾部の外周の直径よりも大きく、前記法面羽根板の前記円弧部分における前記張出部から前記下段部に亘り、前記畦法面と接触する側の接触面から延びる接触延長線に対して、前記法面羽根板の前記接触面とは反対側の位置に配置されている部分を有することを特徴とする。
【発明の効果】
【００１２】
本発明によれば、リング部材を法面整畦体の裾部の周縁に沿って配置するとともに、当該リング部材を法面羽根板であって畦法面と接触する側の接触面から延びる接触延長線に対して、当該接触面とは反対側に配置させたことで、畦の法面へのリング部材の接触による影響を抑制し、リング部材によって畦の法面を崩してしまうといった問題を解消できる。
【００１３】
さらに、リング部材を配置したことにより、法面整畦体自体の補強としての効果を発揮するとともに、法面整畦体の重量を支えることも可能であるため、法面羽根板の周縁部の摩耗の低減も可能となる。
【図面の簡単な説明】
【００１４】
【図１】本発明を適用した畦塗り機の部分平面図を示す。
【図２】本発明を適用した畦塗り機の側面図を示す。
【図３】本発明を適用した畦塗り機の斜視図を示し、同図（ａ）は畦塗り機の左斜め後方から見た畦塗り機の斜視図であり、同図（ｂ）は畦塗り機の左斜め後方から見た畦塗り機の斜視図である。
【図４】本発明を適用した畦塗り機に設けられたオフセットフレームの先端側の部分拡大模式側面図を示す。
【図５】本発明の第一実施形態における法面整畦体の斜視図を示す。
【図６】本発明の第一実施形態における整畦体により、畦を整畦している状態を前方から見た前方視の図を示す。
【図７】本発明の第一実施形態における法面羽根板及びリング部材の部分断面図を示す。
【図８】本発明の第二実施形態における整畦体により、畦を整畦している状態を前方から見た前方視の図を示す。
【図９】本発明の第二実施形態における法面羽根板及びリング部材の部分断面図を示す。
【発明を実施するための形態】
【００１５】
以下、本発明に係る整畦体の好ましい実施の形態について、説明する。
ここにおいて、先ず、図１（部分平面図）及び図２（側面図）を参照しながら、走行機体に牽引される畦塗り機の全体的な概要を説明し、説明の参考として、畦塗り機の斜視図（図３）も参照する。
【００１６】
畦塗り機１は、図１及び図２に示すように、走行機体９０の後部に設けられた三点リンク連結機構９１に連結されて、走行機体９０の前進及び後進に応じて畦塗り作業を行うものである。この畦塗り機１は、走行機体９０に装着されて走行機体９０からの動力が入力される入力軸８ａを備えた装着部５と、装着部５に設けられ進行方向に対して左右方向に回動可能に支持されたオフセット機構部１０と、オフセット機構部１０の先端側に旋回自在に配設されて入力軸８ａから伝達される動力によって作業を行なう作業部６０を有して構成される。
【００１７】
装着部５は、機体幅方向に延びるヒッチフレーム６と、ヒッチフレーム６の前方に設けられて走行機体９０の後部に設けられた三点リンク連結機構９１に連結される連結フレーム７を有して構成される。ヒッチフレーム６の幅方向の中央下部にはギアボックス８が設けられ、このギアボックス８には前述した入力軸８ａが設けられている。
【００１８】
オフセット機構部１０は、その基端側をヒッチフレーム６に回動自在に連結されて後方側へ延びるオフセットフレーム１１と、オフセットフレーム１１の幅方向一方側に沿って並設されて基端側がヒッチフレーム６の一方側端に回動自在に連結されたリンク部材１３と、オフセットフレーム１１の先端側とリンク部材１３の先端側との間に回動自在に連結された回動支持アーム１５とを有して構成される。
【００１９】
オフセットフレーム１１は、内部が中空状に形成された箱状部材であり、オフセットフレーム１１の先端側とヒッチフレーム６の一方側端部との間に接続された揺動シリンダ１７の伸縮により、オフセットフレーム１１は進行方向に対して左右方向に揺動可能である。また、オフセットフレーム１１の上部には動力伝達機構（図示省略）が設けられ、この動力伝達機構によって、走行機体９０から入力軸８ａに伝達された動力がオフセットフレーム１１の先端側に回転自在に配設された従動軸１２に伝達可能に構成されている。
【００２０】
リンク部材１３の先端部は、オフセットフレーム１１の先端部に回動自在に設けられた回動支持アーム１５の一方側端に回動自在に取り付けられている。
ここで、図３（ａ）を参照しながら詳細に説明すると、回動支持アーム１５は、進行方向に対して左右方向に延びる平行リンクフレーム部１５ａと、平行リンクフレーム部１５ａの基端側端部分から装着部５側へ延びるリンクアーム部１５ｂとを有してなり、リンクアーム部１５ｂの基端側がオフセットフレーム１１の先端側下部に回動自在に取り付けられている。
このように構成されたオフセット機構部１０は、図１に示す通り、オフセットフレーム１１、リンク部材１３、ヒッチフレーム６及び回動支持アーム１５によって平行リンク機構を形成している。
【００２１】
なお、揺動シリンダ１７は、電動式油圧シリンダであり、図示しない制御装置からの制御信号に応じて伸縮するようになっている。
【００２２】
また、図４（部分拡大模式側面図）に示すように、オフセットフレーム１１の先端部に設けられた従動軸１２の下部には、動力伝達軸１４が従動軸１２と同軸上に配置されて下方へ連結されて、動力伝達軸１４は従動軸１２の回転に伴って回転する。またオフセットフレーム１１の先端下部には、動力伝達軸１４と同軸上に配置された円筒状の連結部１８がオフセットフレーム１１に対して回動自在に取り付けられている。この連結部１８は動力伝達軸１４と非結合状態にあり、動力伝達軸１４を回動中心として回動自在である。この連結部１８の下部に作業部６０の一部である伝動支持ケース６１の基端部が接続され、連結部１８の上部に作業部６０の一部である伝動支持フレーム６５が接続されている。このため、作業部６０はオフセット機構部１０に設けられた動力伝達軸１４の中心軸線を回動支点Ｏとして回動可能である。
【００２３】
なお、本実施形態においては、畦塗り機の構成のうち、回動支点Ｏを回動の中心軸として回動することが可能な部位であって、伝動支持ケース６１及び伝動支持フレーム６５を含み、その先端部側に配設される天場処理部６２、前処理部６４、整畦体６６の構成を、作業部６０として定義し、説明する。
【００２４】
伝動支持ケース６１には、図１、図３（ａ）、図３（ｂ）に示すように、その先端側には、圃場の周辺に沿って形成された旧畦の上部を切り崩す天場処理部６２と、切り崩した土の土盛りを行なう前処理部６４が配設され、伝動支持ケース６１の基端側には盛られた土を切り崩された旧畦上に塗り付ける整畦体６６が配設されている。伝動支持ケース６１内には不図示の動力伝達機構が内蔵され、この動力伝達機構は、従動軸１２からの動力を受けて天場処理部６２、前処理部６４、整畦体６６に動力伝達可能に構成されている。
【００２５】
天場処理部６２は、回転自在な天場処理ロータ６２ａ（図３（ｂ）参照）を備える。天場処理ロータ６２ａは天場動力伝達ケース６３を介して上下方向に回動可能に伝動支持ケース６１に連結された前処理部６４の先端部に連結されるとともに、伝動支持フレーム６５を介して支持されている。天場動力伝達ケース６３内には図示しない動力伝達機構が内蔵され、この動力伝達機構を介して伝動支持ケース６１の動力伝達機構に伝達された動力が天場処理ロータ６２ａに伝達されるようになっている。
【００２６】
前処理部６４は、回転自在な耕耘爪６４ａ（図２参照）を備える。耕耘爪６４ａは伝動支持ケース６１内の動力伝達機構を介して動力が伝達され、前処理部６４は伝動支持ケース６１に連結され伝動支持フレーム６５を介して支持されている。
【００２７】
整畦体６６は、伝動支持ケース６１に回転自在に支持された略円錐形状の法面整畦体２０と、法面整畦体２０の頂部に取り付けられて畦方向に延びる上面整畦部３０とを有してなる。整畦体６６は伝動支持ケース６１内の動力伝達機構を介して回転動力が伝達されるように構成され、伝動支持ケース６１に支持されている。このため、作業部６０は連結部１８を介してオフセット機構部１０の先端側に設けられた動力伝達軸１４（図４参照）の中心軸線を回動支点Ｏとして旋回可能である。
【００２８】
次に、本発明に係る法面整畦体２０の第一実施形態について、図５を参照しながら説明する。
法面整畦体２０は、図５に示す通り、扇形をした複数枚の法面羽根板２１を半径方向の直線部分で互いに連結することにより全体として略円錐形状に形成されており、中心位置である頂部（図中Ｄ）には、複数枚の法面羽根板２１を連結する際の位置決めの基準になるとともに、上面整畦部３０（図示省略）を固定するための固定部２６が配置されている。
【００２９】
また、本実施形態において各々の法面羽根板２１は、法面整畦体２０の回転方向（図中矢印Ｖ）の後方側に向けて張り出す張出部２２と、回転方向の前方側に向けて延びる下段部２３と、重なり部２４と、を有している。
【００３０】
そして、周方向に隣接する複数枚の法面羽根板２１は、法面整畦体２０における回転方向の後方側に位置する後方側法面羽根板２１ｂの重なり部２４を、前方側に位置する前方側法面羽根板２１ａの張出部２２の背面側に連結することで、後方側法面羽根板２１ｂの下段部２３及び前方側法面羽根板２１ａの張出部２２が、互いに上下間隔を置いて配置される。
【００３１】
さらに、互いに隣接する前方側法面羽根板２１ａ及び後方側法面羽根板２１ｂは、前方側法面羽根板２１ａと後方側法面羽根板２１ｂとの間に固定部２６の保持部２６ａを挟み込むことで支持され、この前方側法面羽根板２１ａ及び後方側法面羽根板２１ｂの間に上下間隔が形成された状態で、互いに溶接等により接合されている。
【００３２】
このように、上下間隔を設けておくことで、法面整畦体２０が図中矢印Ｖに向けて回転して、整畦が行われる際には、各法面羽根板２１の表面と畦の法面との間の距離は、この回転方向の前方側から後方側へかけて次第に小さくなるため、各法面羽根板２１による畦の法面を押圧する力が前方側から後方側へかけて次第に大きくなり、特に張出部２２において、より効果的に土表面を締め固めることが可能となっている。
【００３３】
さらに、本発明に係る法面整畦体２０は、図５に示す通り、法面羽根板２１の円弧部分２５が連なって構成される法面整畦体２０の裾部（図中Ｅ）の周縁に沿って、略円形のリング部材４０を設けてある。
【００３４】
また、本実施形態においてリング部材４０は、法面整畦体２０の裾部Ｅに、適宜溶接固定されており、より詳細には、リング部材４０の周方向に亘って、複数枚の法面羽根板２１の円弧部分２５に溶接され、固定されている。
【００３５】
次に、本発明の第一実施形態に係る法面整畦体２０及び上面整畦部３０が一体化して構成された整畦体６６を用いて、畦を整畦する状態について、図６を参照しながら説明する。
図６に示す通り、整畦作業は、法面整畦体２０がスリップ回転しながら押圧して畦法面７０ｂを整形し、同時に上面整畦部３０がスリップ回転しながら押圧して畦上面７０ａを整形することで行われる。
【００３６】
そして、図６に示す通り、リング部材４０の外周の直径（図中Ｌ）は、法面整畦体２０の裾部Ｅの直径（図中Ｓ）よりも大きく構成されているため、畦法面７０ｂを法面整畦体２０により押圧している際には、リング部材４０が圃場の底面（７０ｃ）へ優先的に接触し、法面整畦体２０の重量を支えることが可能となっている。
【００３７】
このため、法面整畦体２０を構成する法面羽根板２１の周縁部に過剰な重力が働くことがなくなり、法面羽根板２１と畦法面７０ｂとの間で発生する摩擦の影響を抑制し、法面羽根板２１の周縁部の摩耗の低減が図れる。
【００３８】
また、法面羽根板２１のサイズが大きくなり、法面整畦体２０の重量が増えた場合においても、このリング部材４０が、隣接する複数枚の法面羽根板２１同士の連結固定をサポートすることとなり、法面整畦体２０の補強部材としても効果を発揮する。
【００３９】
次に、本発明の第一実施形態に係る法面羽根板２１及びリング部材４０の配置構成について、部分断面図である図７（ａ）〜（ｃ）を参照しながら、説明する。
ここで、図７（ａ）は図６におけるＡ−Ａ断面の図であって、法面羽根板２１における張出部２２とリング部材４０との位置関係を示す部分断面図（重なり部２４の図示は省略）である。
また、図７（ｂ）は図６におけるＢ−Ｂ断面の図であって、法面羽根板２１における円弧部分２５の中間位置Ｐとリング部材４０との位置関係を示す部分断面図である。
【００４０】
そして、図７（ｃ）は図６におけるＣ−Ｃ断面の図であって、法面羽根板２１における下段部２３とリング部材４０との位置関係を示す部分断面図である。
なお、これら図７（ａ）〜（ｃ）は、各々の断面の位置が圃場の底面（図中７０ｃ）に最も近くなった状態について示すものである。
【００４１】
ここで、図７（ａ）においてリング部材４０の最下部４０Ｂは、畦法面７０ｂと接触する側の法面羽根板２１の接触面（図中ＭＳ）であって張出部２２の部分から延びる接触延長線Ｍａに対して、接触面ＭＳとは反対側に位置している。
【００４２】
同様に、図７（ｂ）及び図７（ｃ）においても、リング部材４０の最下部４０Ｂは、畦法面７０ｂと接触する側の法面羽根板２１の接触面（図中ＭＳ）であって中間位置Ｐの部分から延びる接触延長線Ｍｂ及び下段部２３の部分から延びる接触延長線Ｍｃ対して、接触面ＭＳとは反対側に位置している。
【００４３】
つまり、本実施形態において、リング部材４０は、法面羽根板２１の円弧部分２５における張出部２２から下段部２３の全てに亘って、法面羽根板２１における畦法面７０ｂと接触する側の接触面ＭＳから延びる接触延長線Ｍａ、Ｍｂ及びＭｃとは離れた位置構成となっており、接触面ＭＳとは反対側に位置している。
【００４４】
このため、畦法面７０ｂを法面整畦体２０の法面羽根板２１により押圧している際には、畦法面７０ｂへのリング部材４０の接触が常に抑制され、リング部材４０によって畦の法面を崩してしまうといった問題を解消できる。
【００４５】
また、先述した通り、リング部材４０の外周の直径を法面整畦体２０の裾部Ｅの直径よりも大きくした（図６参照）ことから、リング部材４０が圃場の底面（７０ｃ）へ優先的に接触し、そのため、リング部材４０によって法面整畦体２０の重量を支えることも可能となり、法面羽根板２１の表面と畦法面７０ｂとの間の摩耗の低減も可能となる。
【００４６】
次に、法面羽根板２１及びリング部材４０における配置構成の第二実施形態について、畦を整畦する状態を示す図８を参照しながら説明する。
図８に示す通り、整畦作業は、畦上面７０ａに対して上面整畦部３０が押圧し、畦法面７０ｂに対して法面整畦体２０が押圧して作用することで行われる。
【００４７】
そして、リング部材４０の外周の直径（図中Ｋ）は、法面整畦体２０の裾部Ｅの直径（図中Ｓ）よりも大きく構成されているため、法面整畦体２０により畦法面７０ｂを押圧している際には、リング部材４０が圃場の底面（７０ｃ）へ優先的に接触し、法面整畦体２０の重量を支えることが可能となっている。
【００４８】
このため、法面整畦体２０を構成する法面羽根板２１に過剰な重力が働くことがなくなり、法面羽根板２１と畦法面７０ｂとの間で発生する摩擦の影響を抑制し、法面羽根板２１の摩耗の低減が図れる。
【００４９】
また、この第二実施形態においては、法面整畦体２０を前方から見た前方視（図８参照）に示す通り、リング部材４０が法面整畦体２０の裾部Ｅの周縁全てにおいて、張出部２２から下段部２３に亘る法面羽根板２１の円弧部分２５を部分的に覆った構成としており、リング部材４０の外周の直径（図中Ｋ）は、第一実施形態におけるリング部材４０の直径（図６における図中Ｌ）よりも、僅かに大きく構成されている。
【００５０】
このため、第二実施形態におけるリング部材４０は、第一実施形態と比べて、法面整畦体２０の裾部Ｅにより近づけて配置固定されているため、隣接する法面羽根板２１同士の連結固定をサポートするという効果に加え、全ての法面羽根板２１をより強固に固定保持することができ、法面整畦体２０の補強部材として、より一層の効果を発揮する。
【００５１】
なお、第一実施形態と同じく、リング部材４０は、法面整畦体２０の裾部Ｅに適宜溶接固定されており、リング部材４０の周方向に亘って、複数枚の法面羽根板２１の円弧部分２５に規則正しく溶接され、固定されている。
【００５２】
次に、第二実施形態における法面羽根板２１及びリング部材４０の配置構成について、部分断面図である図９（ａ）〜（ｃ）を参照しながら、説明する。
ここで、図９（ａ）は図８におけるＡ−Ａ断面の図であって、法面羽根板２１における張出部２２とリング部材４０との位置関係を示す部分断面図（重なり部２４の図示は省略）である。
また、図９（ｂ）は図８におけるＢ−Ｂ断面の図であって、法面羽根板２１における円弧部分２５の中間位置Ｐとリング部材４０との位置関係を示す部分断面図である。
【００５３】
そして、図９（ｃ）は図８におけるＣ−Ｃ断面の図であって、法面羽根板２１における下段部２３とリング部材４０との位置関係を示す部分断面図である。
なお、これら図９（ａ）〜（ｃ）は、各々の断面の位置が圃場の底面（図中７０ｃ）に最も近くなった状態について示すものである。
【００５４】
ここで、図９（ａ）においてリング部材４０の最下部４０Ｂは、畦法面７０ｂと接触する側の法面羽根板２１の接触面（図中ＮＳ）であって張出部２２の部分から延びる接触延長線Ｎａに対して、接触面ＭＳとは反対側に位置している。
【００５５】
図９（ｂ）においてリング部材４０の最下部４０Ｂは、図９（ａ）に示す状態とは異なり、畦法面７０ｂと接触する側の接触面（図中ＮＳ）であって中間位置Ｐの部分から延びる接触延長線Ｎｂに接触するとともに、法面羽根板２１の最下端面Ｒと圃場の底面（図中７０ｃ）との間に配置固定されている。
【００５６】
また、図９（ｃ）においては、リング部材４０の最下部４０Ｂは、畦法面７０ｂと接触する側の接触面（図中ＮＳ）であって下段部２３の部分から延びる接触延長線Ｎｃに交差した位置にある。
【００５７】
そして、図９（ｂ）に示す最下端面Ｒとの相対的な位置関係に対して、最下部４０Ｂは畦法面７０ｂ側へ近くなっており、法面羽根板２１の最下端面Ｒと圃場の底面（図中７０ｃ）との間に配置固定されている。
【００５８】
このため、第二実施形態においては、畦法面７０ｂを法面整畦体２０により押圧している際には、先述した通り、土表面を締め固める効果を最も発揮する張出部２２において、畦法面７０ｂへのリング部材４０の接触を抑制して、リング部材４０によって畦の法面を崩してしまうといった問題を解消する。
【００５９】
さらに、円弧部分２５の中間位置Ｐから下段部２３に亘る領域においては、法面羽根板２１の最下端面Ｒにリング部材４０を配置固定しており、最下端面Ｒに僅かに当接する配置構成の第一実施形態（図７（ｃ）参照）に比べて、最下端面Ｒとリング部材４０との接合部分を多くさせたことから、全ての法面羽根板２１をより強固に固定保持することができ、法面整畦体２０の補強部材として、より一層の効果を発揮する。
【００６０】
そして、図９（ａ）〜（ｃ）に示した通り、第一実施形態と同様に、法面羽根板２１の円弧部分２５が連なって構成される法面整畦体２０の裾部Ｅの周縁全てに沿って、リング部材４０が優先的に圃場の底面へ接触する構成としたため、当該リング部材４０により、法面整畦体２０の重量を支えることも可能となり、法面羽根板２１の摩耗の低減も可能となる。
【００６１】
ここにおいて、第一実施形態とは異なる第二実施形態の特徴としては、リング部材４０について、張出部２２から下段部２３に亘る法面羽根板２１の円弧部分２５の接触延長線Ｎａ、Ｎｂ及びＮｃに対して、接触面ＮＳとは反対側に位置する部位を部分的に限定した点にある。
【００６２】
つまり、リング部材４０について、接触延長線Ｎａ、Ｎｂ及びＮｃに対して、接触面ＮＳとは反対側に位置する部位（図８のＡ−Ａ断面及び図９（ａ）参照）と、法面羽根板２１の最下端面Ｒに配置固定されるとともに接触延長線に接触又は交差する位置にある部位（図８のＢ−Ｂ断面及び図９（ｂ）、図８のＣ−Ｃ断面及び図９（ｃ）参照）とを併存させた構成としている。
【００６３】
そして、リング部材４０における接触延長線と接触又は交差する部位は、法面羽根板２１の最下端面Ｒに配置固定されており、最下端面Ｒとリング部材４０との接合部分を多くさせたことから、全ての法面羽根板２１をより強固に固定保持することができ、法面整畦体２０の補強部材として、より一層の効果を発揮する。
【００６４】
このため、法面整畦体２０の補強の効果を重視する場合と、リング部材４０の畦法面７０ｂへの接触を抑制して畦法面７０ｂに対する整畦の効果を重視する場合とにより、リング部材４０における接触延長線と接触又は交差する部位を多く採る、あるいは、接触延長線に対して接触面ＮＳとは反対側に位置する部位を多く採るといった設計変更が可能となる。
【００６５】
例えば、法面羽根板２１が大型となり、法面整畦体２０の重量が全体的に増えた際には、リング部材４０における接触延長線と接触又は交差する部位を多く採り、法面整畦体２０の重量に対する補強の効果を発揮させることができる。
【００６６】
あるいは、法面整畦体２０が比較的小型である場合には、リング部材４０における接触延長線に対して接触面ＮＳとは反対側に位置する部位を多く採り、整畦の効果を一層高めることが可能となる。
【００６７】
さらに、第一実施形態及び第二実施形態においては、リング部材４０の太さを同一のものとして図示しているものの、適宜リング部材４０の太さを設計変更してもよい。特に、先述した補強効果を目的とする場合に、リング部材４０を太くすることも可能である。
【００６８】
また、図７及び図９に示したように、リング部材４０の断面形状を丸型として示してきたものの、本願発明の効果を損わない限り、形状は特に限定されるものではなく、その断面形状を角型、楕円型としてもよく、板部材を丸めてリング部材４０としてもよい。
【符号の説明】
【００６９】
１      畦塗り機
２０    法面整畦体
２１    法面羽根板
２１ａ  前方側法面羽根板
２１ｂ  後方側法面羽根板
２２    張出部
２３    下段部
２４    重なり部
３０    上面整畦部
４０    リング部材
７０ｂ  畦法面
Ｄ      頂部
Ｅ      裾部
ＭＳ、ＮＳ  接触面
ＴＳ、ＵＳ  非接触面
Ｍａ、Ｍｂ、Ｍｃ、Ｎａ、Ｎｂ、Ｎｃ  接触延長線
【図１】
0005823838.tif 000002
【図２】
0005823838.tif 000003
【図３】
0005823838.tif 000004
【図４】
0005823838.tif 000005
【図５】
0005823838.tif 000006
【図６】
0005823838.tif 000007
【図７】
0005823838.tif 000008
【図８】
0005823838.tif 000009
【図９】
0005823838.tif 000010